(57)【要約】【課題】リトリーブ時において対象魚に釣人の存在を悟られ難くするルアーを提供する。【解決手段】ルアー本体と該ルアー本体に釣糸を連結するための連結具とを備えるルアーにおいて、前記連結具を前記ルアー本体の側面に設けられていると共に該ルアー本体の該連結具に対して後方側に位置する側面の水を受ける面積を前方側に位置する側面の水を受ける面積よりも広くし、当該ルアー本体の当該連結具が設けられた位置から後方側に撓曲状態において復元力が生じる撓曲部を設ける。【選択図】  図１
2007020446.tif 000002
【特許請求の範囲】
【請求項１】
ルアー本体と該ルアー本体に釣糸を連結するための連結具とを備えたルアーにおいて、前記連結具が前記ルアー本体の側面に設けられていると共に該ルアー本体の該連結具に対して後方側に位置する側面の水を受ける面積が前方側に位置する側面の水を受ける面積よりも広くなっており、当該ルアー本体が当該連結具の設けられた位置から後方側に撓曲状態において復元力が生じる撓曲部を有することを特徴とするルアー。
【請求項２】
ルアー本体が非撓曲部を有しており、非撓曲部の後方側に撓曲部が位置付けられる請求項１記載のルアー。
【請求項３】
ルアー本体が複数の非撓曲部を有しており、隣り合う非撓曲部の間に撓曲部が位置付けられる請求項１又は２のいずれかに記載のルアー。
【請求項４】
撓曲部が軟質部材によって形成されている請求項１乃至３のいずれかに記載のルアー。
【請求項５】
撓曲部が隣り合う非撓曲部を連結する連結手段と該隣り合う非撓曲部の間に位置付けられて連結手段が撓曲した際に復元力が生じる軟質部材とから構成されている請求項３記載のルアー。
【請求項６】
連結具に連結された釣糸がルアー本体の長手方向に対して移動可能になっている請求項１乃至５のいずれかに記載のルアー。
【請求項７】
連結具がルアー本体の両側面に設けられている請求項１乃至６のいずれかに記載のルアー。
【発明の詳細な説明】
【技術分野】
【０００１】
本発明は、ルアーに関するものである。
【背景技術】
【０００２】
周知の通り、ブラックバスやトラウトなどの魚を対象（以下、「対象魚」という）とするルアーフィッシングにおいては、対象魚が生息するポイントへルアーをキャスティングした後、当該ルアーをロッドやリールで操作しながらリトリーブするが、この時、対象魚の捕食を誘うための特殊なアクションができるように工夫されたルアーが従来から多数開発されている。
【０００３】
例えば、後出特許文献１には、ルアー本体の先端に突設される糸取付用のトップリングを先広がり状に形成するとともに水平に取り付け、このトップリングに結合した糸の牽引支点が水平方向に移動自在となるようにしたルアーが開示されており、当該ルアーにおいては、リトリーブ時に右に左にあたかも対象魚に追われた小魚が狂ったように逃げまどうような動きを再現することができる。
【０００４】
また、後出特許文献２には、頭部を一端にかつ尾部を反対端に有し魚のように見える細長い体にして、長手方向に延びている第１及び第２両側表面を有し、平面図では概して円弧形であって、前記頭部及び前記尾部が前記第２側表面の方へ彎曲されている体を有しており、前記体における両側表面のうちの一方が中高形状をかつ他方が中低形状を有し、前記中高表面に隣接して釣糸を作用可能につなぐための装置を有する魚釣り用擬餌が開示されており、当該擬餌においては、リトリーブ時に釣糸を張れば前方へ動かすことができ、また、釣糸に対する張力を緩めれば途切れた間だけ後方へ少し動かすことができる。
【０００５】
しかし、近年の釣りブームによる釣人口の増加に伴って釣人と遭遇する機会が増した対象魚は、警戒心が非常に強くなっており、前記特許文献１及び２に開示されたルアーのように、リトリーブ時に釣人のもとへ直線的に進んで回収されるルアーについては、ルアーの進行方向に常に釣人が存在する状態となるため、ルアーを捕食しようと追いかけてくる対象魚が進行方向に存在する釣人の気配に気づいて逃げてしまうことが多々あった。
【特許文献１】実開昭５８−５０６７１号公報
【特許文献２】特開昭４７−１８６８０号公報
【発明の開示】
【発明が解決しようとする課題】
【０００６】
そこで、本発明は、リトリーブ時において対象魚に釣人の存在を悟られ難くするルアーを得ることを技術的課題として、その具現化をはかるべく、試作・実験を繰り返した結果、ルアー本体と該ルアー本体に釣糸を連結するための連結具とを備えたルアーにおいて、前記連結具を前記ルアー本体の側面に設けられていると共に該ルアー本体の該連結具に対して後方側に位置する側面の水を受ける面積を前方側に位置する側面の水を受ける面積よりも広くし、当該ルアー本体の当該連結具が設けられた位置から後方側に撓曲状態において復元力が生じる撓曲部を設けることにより、リトリーブ時にルアーが釣人のもとへ直線的に進まないという刮目すべき知見を得、前記技術的課題を達成したものである。
【課題を解決するための手段】
【０００７】
前記技術的課題は、次の通りの本発明によって解決できる。
【０００８】
即ち、本発明に係るルアーは、ルアー本体と該ルアー本体に釣糸を連結するための連結具とを備えたルアーにおいて、前記連結具が前記ルアー本体の側面に設けられていると共に該ルアー本体の該連結具に対して後方側に位置する側面の水を受ける面積が前方側に位置する側面の水を受ける面積よりも広くなっており、当該ルアー本体が当該連結具の設けられた位置から後方側に撓曲状態において復元力が生じる撓曲部を有するものである。
【０００９】
また、本発明は、前記ルアーにおいて、ルアー本体が非撓曲部を有しており、非撓曲部の後方側に撓曲部が位置付けられるものである。
【００１０】
また、本発明は、前記いずれかのルアーにおいて、ルアー本体が複数の非撓曲部を有しており、隣り合う非撓曲部の間に撓曲部が位置付けられるものである。
【００１１】
また、本発明は、前記いずれかのルアーにおいて、撓曲部が軟質部材によって形成されているものである。
【００１２】
また、本発明は、前記ルアーにおいて、撓曲部が隣り合う非撓曲部を連結する連結手段と該隣り合う非撓曲部の間に位置付けられて連結手段が撓曲した際に復元力が生じる軟質部材とから構成されているものである。
【００１３】
また、本発明は、前記いずれかのルアーにおいて、連結具に連結された釣糸がルアー本体の長手方向に対して移動可能になっているものである。
【００１４】
また、本発明は、前記いずれかのルアーにおいて、連結具がルアー本体の両側面に設けられているものである。
【００１５】
さらに、本発明に係るルアーの他の実施の形態としては、非撓曲部が隣り合う非撓曲部の間に位置付けられる軟質部材を延長させて被覆されているものである。
【００１６】
また、本発明に係るルアーの他の実施の形態としては、ルアー本体の連結具の設けられた位置から後方側に少なくとも一つの撓曲部が設けられているものである。
【００１７】
また、本発明に係るルアーの他の実施の形態としては、ルアー本体の連結具の設けられた位置から後方側の全部が撓曲部になっている。
【発明の効果】
【００１８】
本発明によれば、釣糸を連結するための連結具をルアー本体の側面に設けられていると共にルアー本体の連結具に対して後方側に位置する側面の水を受ける面積を前方側に位置する側面の水を受ける面積よりも広くし、ルアー本体の連結具が設けられた位置から後方側に撓曲状態において復元力が生じる撓曲部を設けたので、リトリーブ時に釣糸を張った状態と緩めた状態とを繰り返すことによってルアーが釣人を中心として渦巻きを描くように進むため、ルアーの進行方向に釣人が存在しなくなり、対象魚に対して警戒心を与えることがない。
【００１９】
また、近年、対象魚がルアーに興味を示す要因の一つとしてルアーの巻き起こす水流が関係すると考えられているが、本発明によれば、釣糸を張った状態と緩めた状態とを繰り返すことによって、ルアーが撓曲状態と伸張状態とを繰り返し、釣人に対して側面を向けた状態で遠近方向に動くため、水を掻く面積が広く大きな水流を巻き起こし、対象魚に対して強くアピールすることができる。
【００２０】
さらに、撓曲部を軟質部材によって形成することによって、ルアー全体が一体的な形状に成型でき、対象魚に対して警戒心を与えることがない。
【００２１】
従って、本発明の産業上利用性は非常に高いといえる。
【発明を実施するための最良の形態】
【００２２】
以下、本発明の実施の形態を図面に基づき説明する。
【００２３】
実施の形態１．
【００２４】
図１は本実施の形態に係るルアーを示した斜視図であり、図中、内部構造を点線にて示している。図２は図１に示すルアーの断面図である。図３は図１に示すルアーの泳動状態を示した説明図である。図４は図１に示すルアーの軌道を示した平面図である。これらの図において、１は、魚の形態を模倣した形状のルアー本体２と、ルアー本体２に釣糸に連結するための連結具３と、ルアー本体２にフックを連結するためのフックアイ４と、フックアイ４に取り付けられたフック５とからなるルアーである。なお、ルアー１の進行方向側を前とする。
【００２５】
ルアー本体２は、硬質部材からなる前・後骨格体６，７と、両骨格体６，７の間に位置付けられる揺動性を有する連結手段８と、連結手段８によって連結された両骨格体６，７を被覆する可撓性及び復元力を有する軟質部材からなる外装体９とから構成されている。これにより、ルアー本体２には、各骨格体６，７を外装体９にて被覆してなる前・後非撓曲部１０，１１が形成されると共に、前・後非撓曲部１０，１１の間であって連結具３よりも後方側に連結手段８を空間を介して外装体９にて囲んでなる可撓性及び復元力を有する撓曲部１２が形成される。
【００２６】
連結手段８は、図２に示すように、前・後骨格体６，７に取り付けられる一対の連結部材１３，１４からなり、連結部材１３，１４は、前骨格体６又は後骨格体７に埋め込まれる軸部１５と、軸部１５の一方端に設けられた環状部１６とから構成されている。そして、連結部材１３の軸部１５を前骨格体６の後骨格体７に対向する面に差し込むと共に、連結部材１４の軸部１５を後骨格体７の前骨格体６に対向する面に差し込み、両連結部材１３，１４の環状部１６を鎖状に連結させることによって前骨格体６と後骨格体７とが揺動可能に繋がっている。
【００２７】
なお、硬質部材としては、例えば、バルサなどの木材や発泡ウレタン、ＡＢＳ樹脂などの硬質合成樹脂等を使用すればよく、軟質部材としては、弾力性を有しており、撓曲状態において復元力が生じるもにであればよく、例えば、塩化ビニル、エラストマー及びシリコンなどの軟質合成樹脂等を使用すればよい。
【００２８】
連結具３は、Ｕ字状に曲げられたワイヤーからなり、ルアー本体２を構成する前骨格体６の側面にワイヤーの先端を差し込んで固定されている。そして、ルアー本体２の連結具３に対して後方側に位置する部分の水受け面積よりも前方側に位置する部分の水受け面積の方が広くなる。
【００２９】
次に、本実施の形態に係るルアー１の使用方法を説明する。
【００３０】
先ず、リールから伸びる釣糸の先端部を連結具３に結び付けてルアー１をキャスティングしてポイントに着水させる。続いて、リーリングと釣り竿の操作によって釣糸１７を引っ張ると、図３の（ａ）に示すように、着水後に前端を釣人側（図３中、釣糸が伸びる方向）へ向けていたルアー１は、徐々に連結具３が固定された側面を釣人側へ向けるように進行方向を変化させる。これに伴って、ルアー１の連結具３が固定された側面に働く水流抵抗が増し、図３の（ｂ）に示すように、ルアー１は、撓曲部１２を撓曲させた状態となり、釣人に近づきながら円を描くように泳動する。
【００３１】
次に、リーリングと釣り竿の操作によって釣糸１７を緩めると、ルアー１の連結具３が固定された側面に働く水流抵抗がなくなり、図３の（ｃ）に示すように、ルアー１は、撓曲部１２の復元力によって伸張した状態に戻り、伸張した状態に戻ろうとする動作によって水を押して釣人から遠ざかるように泳動する。
【００３２】
従って、釣糸１７を引っ張った状態と緩めた状態とを繰り返すことにより、ルアー１は、釣人に対して近づく動作と遠ざかる動作とを繰り返し、これによって、図４に示すように、釣人１８を中心として渦巻きを描くように泳動する。なお、釣糸１７を引っ張る時間を短くすることによってルアー１が泳動時に描く軌道の半径を大きくすることができ、逆に、釣糸１７を引っ張る時間を長くすることによってルアー１が泳動時に描く軌道の半径を小さくすることができる。
【００３３】
本実施の形態においては、両骨格体を連結手段によって連結しているため、両骨格体が強固に連結される。また、撓曲部に対して復元力を与える役割を果たす外装体を薄い軟質部材によって形成しているため、ルアー本体の側面に働く水流抵抗が小さくても撓曲部が撓曲し、僅かな釣竿の操作に対しても反応する。
【００３４】
実施の形態２．
【００３５】
本実施の形態は前記実施の形態１に係るルアーにおけるルアー本体の変形例である。図５は変形例１に係るルアーを示した断面図である。図６は変形例２に係るルアーを示した断面図である。図７は変形例３に係るルアーを示した断面図である。これらの図において、図１〜図４と同一符号は同一又は相当部分を示している。
【００３６】
変形例１：本変形例に係るルアーのルアー本体は、図５に示すように、硬質部材からなる前・後骨格体６，７と、両骨格体６，７の間に位置付けられる連結手段１９とから構成されている。そして、連結手段１９は、可撓性及び復元力を有するＩ字状の弾性板であり、一方の先端部２０が前骨格体６の後端面中央にインサート成形されており、他方の先端部２１が後骨格体７の前端面にインサート成形されている。これにより、ルアー本体には、各骨格体６，７からなる前・後非撓曲部１０，１１が形成されると共に、両非撓曲部１０，１１の間には弾性板からなる可撓性及び復元力を有する撓曲部１２が形成される。
【００３７】
なお、弾性板としては、弾性力を有し、復元力を有する合成樹脂や金属などを使用すればよい。
【００３８】
変形例２：本変形例に係るルアーのルアー本体は、図６に示すように、硬質部材からなる前・後骨格体６，７と、両骨格体６，７の間に位置付けられる揺動性を有する連結手段８と、連結手段８を囲むように両骨格体６，７の間に位置付けられる撓曲体２２とから構成されており、撓曲体２２は、可撓性及び復元力を有する軟質部材からなっている。これにより、ルアー本体には、骨格体６，７からなる前・後非撓曲部１０，１１が形成されると共に、両非撓曲部１０，１１の間に連結手段８を撓曲体２２で囲んでなる可撓性及び復元力を有する撓曲部１２が形成される。
【００３９】
変形例３：本変形例に係るルアーのルアー本体は、図７に示すように、可撓性及び復元力を有する軟質部材からなる円柱状の内実体２３と、内実体２３の前方側を被覆する硬質部材からなる前外骨格体２４と、内実体２３の後方側を被覆する硬質部材からなる後外骨格体２５とから構成されており、内実体２３の中間部は外骨格体２４，２５にて被覆されていない。これにより、ルアー本体には、内実体２３を前・後外骨格体２４，２５にて被覆してなる前・後非撓曲部１０，１１が形成されると共に、前・後非撓曲部１０，１１の間に内実体２３からなる可撓性及び復元力を有する撓曲部１２が形成される。
【００４０】
実施の形態３．
【００４１】
図８は本実施の形態に係るルアーを示した斜視図であり、図中、内部構造を点線にて示している。図９は図８に示すルアーの断面図である。図１０は図８に示すルアーの泳動状態を示した説明図である。図１１は図８に示すルアーの泳動軌道を示した平面図である。これらの図において、２６は、魚の形態を模倣した形状のルアー本体２７と、ルアー本体２７に釣糸に連結するための連結具２８と、ルアー本体２７にフックを連結するためのフックアイ２９と、フックアイ２９に取り付けられたフック３０とからなるルアーである。
【００４２】
ルアー本体２７は、硬質部材からなる骨格体３１と、骨格体３１を前方側に位置付けた状態で被覆する可撓性及び復元力を有する軟質部材からなる外装体３２とから構成されている。これにより、ルアー本体２７には、骨格体３１を外装体３２にて被覆してなる非撓曲部３３が形成されると共に、非撓曲部３３の後方側に外装体３２からなる可撓性及び復元力を有する撓曲部３４が形成される。
【００４３】
連結具２８は、ルアー本体２７の長手方向に伸びるワイヤーからなり、ルアー本体２７を構成する骨格体３１の側面にワイヤーの先端を差し込んで固定されている。そして、ルアー本体２における連結具２８後端部に対して後方側に位置する部分の水受け面積よりも前方側に位置する部分の水受け面積の方が広くなっている。
【００４４】
次に、本実施の形態に係るルアー２６の使用方法を説明する。
【００４５】
実施の形態１と同様にキャスティングして着水させる。この時、ルアー２６は、前方側を釣人に向けた状態となる。そして、リーリングと釣り竿の操作によって釣糸１７を張った状態にすると、図１０の（ａ）に示すように、着水後に前端を釣人側へ向けていたルアー２６は、徐々に連結具２８が固定された側面を釣人側へ向けるように進行方向を変化させる。なお、連結具２８に結び着けられた釣糸１７は、着水直後は連結具２８の前端側に位置しているが、釣糸１７を引っ張り続けることによって徐々に連結具２８の後端側まで移動する。これにより、ルアー２６の側面に働く水流抵抗がゆっくり増すようになり、ルアー２６は進行方向を滑らかに変化させる（図１１参照）。また、これに伴って、ルアー２６の連結具２８が固定された側面に働く水流抵抗が増し、図１０の（ｂ）に示すように、ルアー２６は、撓曲部３４を撓曲させた状態となり、釣人に近づきながら円を描くように泳動する。
【００４６】
次に、リーリングと釣り竿の操作によって釣糸１７を緩めると、ルアー２６の連結具２８が固定された側面に働く水流抵抗がなくなり、図１０の（ｃ）に示すように、ルアー２６は、撓曲部３４の復元力によって伸張した状態に戻り、伸張した状態に戻ろうとする動作によって水を押して釣人から遠ざかるように泳動する。
【００４７】
従って、前記実施の形態１に係るルアーと同様の作用・効果を得ることができる。
【００４８】
なお、本実施の形態においては、ルアー本体の後方側全体が撓曲部となっているため、釣糸を引っ張った状態においてルアー本体がより大きく撓曲し、釣糸を緩めた状態においてルアー本体の伸張状態に戻る動作が大きくなって水を押す力が増して釣人からより遠くに離れるように泳動する。これにより、ルアーが泳動時に描く軌道の半径をより大きくすることができる。
【００４９】
実施の形態４．
【００５０】
本実施の形態は前記実施の形態３に係るルアーにおけるルアー本体の変形例である。図１２は変形例４に係るルアーを示した断面図である。図１３は変形例５に係るルアーを示した断面図である。これら図において、図８〜図１１と同一符号は同一又は相当部分を示している。
【００５１】
変形例４：本変形例に係るルアーのルアー本体は、図１２に示すように、可撓性及び復元力を有する軟質部材からなる先細円柱状の内実体３５と、内実体３５の前方側を被覆する硬質部材からなる外骨格体３６とから構成されている。これにより、ルアー本体には、内実体３５を外骨格体３６にて被覆してなる非撓曲部３３が形成されると共に、非撓曲部３３の後方側に内実体３５からなる可撓性及び復元力を有する撓曲部３４が形成される。
【００５２】
変形例５：本変形例に係るルアーのルアー本体は、図１３に示すように、硬質部材からなる骨格体３７と、骨格体３７の後方側に位置付けられる可撓性及び復元力を有する軟質部材からなる撓曲体３８とから構成されている。これにより、ルアー本体には、骨格体３７からなる非撓曲部３３が形成されると共に、非撓曲部３３の後方側に撓曲体３８からなる可撓性及び復元力を有する撓曲部３４が形成される。なお、本変形例に係る連結具２８は、骨格体３７の側面に形成された凹部３９に対してルアー本体の長手方向に伸びるようにワイヤーを架け渡すことにより形成されている。
【００５３】
実施の形態５．
【００５４】
図１４は本実施の形態に係るルアーを示す斜視図である。図１５は図１４に示すルアーを示した断面図である。これらの図において、４０は、魚の形態を模倣した形状のルアー本体４１と、ルアー本体４１に釣糸に連結するための連結具４２と、ルアー本体４１にフックを連結するためのフックアイ４３と、フックアイ４３に取り付けられたフック４４とからなるルアーである。
【００５５】
ルアー本体４１は、硬質部材からなる前・後骨格体４５，４６と、両骨格体４５，４６の間に位置付けられる揺動性を有する連結手段４７と、連結手段４７によって連結された両骨格体４５，４６を被覆してなる外装体４８とから構成されており、連結手段４７によって連結された両骨格体４５，４６を外装体４８で被覆した状態において外装体４８の後端部には後骨格体４６が充填されていない中空部４９が形成されている。これにより、ルアー本体４０には、各骨格体４５，４６を外装体４８にて被覆してなる前・後非撓曲部５０，５１が形成されると共に、両非撓曲部５０，５１の間に連結手段を外装体４８にて囲んでなる可撓性及び復元力を有する撓曲部５２が形成され、後非撓曲部５１の後方側に外装体の中空部４９からなる可撓性及び復元力を有する撓曲部５３が形成される。なお、後骨格体４６の前骨格体４５に対向する面には水平方向に切り込まれた上下一対の隙間５４が形成されている。
【００５６】
連結手段４７は、前骨格体４５に取り付けられる連結部材５５と、後骨格体４６に形成された一対の隙間５４に対して上下方向に架け渡される軸棒５６とからなる。連結部材５５は、前骨格体４５に埋め込まれる軸部５７と、軸部５７の一方端に設けられた環状部５８とから構成されている。そして、各連結部材５５の軸部５７をそれぞれ前骨格体４５の後骨格体４６に対向する面に差し込み、各連結部材５５の環状部５８をそれぞれ後骨格体４６の隙間５４に架け渡された軸棒５６に連結することによって前骨格体４５と後骨格体４６とが揺動可能に繋がっている。
【００５７】
連結具４２は、軸部５９と軸部５９の一方端に設けられた環状部６０とからなり、ルアー本体４０を構成する前骨格体４５の側面に軸部５９を差し込んで固定されている。
【００５８】
本実施の形態においては、ルアー本体の二箇所に撓曲部が設けられているため、釣糸を引っ張った際にルアー本体がより大きく撓曲し、釣糸を緩めた際にルアー本体の伸張状態に戻る動作が大きくなって水を押す力が増し、釣人からより遠くに離れるように泳動する。これにより、ルアーが泳動時に描く軌道の半径をより大きくすることができる。
【００５９】
なお、本実施の形態に係るルアーにおいても、前記実施の形態１に係るルアーと同様の動作を行うことができる。
【００６０】
実施の形態６．
【００６１】
本実施の形態は前記実施の形態４に係るルアーにおけるルアー本体の変形例である。図１６は本実施の形態に係るルアーを示した断面図である。これらの図において、図１４及び図１５と同一符号は同一又は相当部分を示している。
【００６２】
本実施の形態に係るルアーのルアー本体は、図１６に示すように、硬質部材からなる前・中・後骨格体６１，６２，６３と、各骨格体６１，６２，６３の間に位置付けられる連結手段４７，４７と、両連結手段４７，４７によって連結された各骨格体６１，６２，６３を被覆する可撓性及び復元力を有する軟質部材からなる外装体４８とから構成されており、外装体４８の後端部には各骨格体６１，６２，６３が充填されない中実部６４が形成されている。これにより、ルアー本体には、各骨格体６１，６２，６３を外装体４８にて被覆してなる前・中・後非撓曲部６５，６６，６７が形成されると共に、各非撓曲部６５，６６，６７の間に連結手段を外装体４８にて囲んでなる可撓性及び復元力を有する撓曲部６８，６９が形成され、後端部に外装体４８の中実部６４からなる可撓性及び復元力を有する撓曲部７０が形成される。
【００６３】
なお、本実施の形態に係るルアーにおいては、ルアー本体の三箇所に撓曲部を設けたが、四箇所以上に設けてもよい。
【００６４】
前記各実施の形態においては、ルアー本体の一方の側面にのみ連結具を設けたが、両側面に設けてもよい。
【００６５】
なお、前記各実施の形態においては、ルアー本体の連結具よりも後方側に撓曲部を設けたが、連結具が設けられた位置に撓曲部を設けることもできる。
【図面の簡単な説明】
【００６６】
【図１】実施の形態１に係るルアーを示した斜視図である。
【図２】図１に示すルアーの断面図である。
【図３】図１に示すルアーの泳動状態を示した説明図である。
【図４】図１に示すルアーの泳動軌道を示した平面図である。
【図５】変形例１に係るルアーを示した断面図である。
【図６】変形例２に係るルアーを示した断面図である。
【図７】変形例３に係るルアーを示した断面図である。
【図８】実施の形態３に係るルアーを示した斜視図である。
【図９】図９に示すルアーの断面図である。
【図１０】図９に示すルアーの泳動状態を示した説明図である。
【図１１】図９に示すルアーの泳動軌道を示した平面図である。
【図１２】変形例４に係るルアーを示した断面図である。
【図１３】変形例５に係るルアーを示した断面図である。
【図１４】実施の形態５に係るルアーを示す斜視図である。
【図１５】図１４に示すルアーを示した断面図である。
【図１６】実施の形態６に係るルアーを示した断面図である。
【符号の説明】
【００６７】
１，２６，４０  ルアー
２，２７，４１  ルアー本体
３，２８  連結具
４，２９，４３  フックアイ
５，３０，４４  フック
６  前骨格体
７  後骨格体
８  連結手段
９  外装体
１０  前非撓曲部
１１  後非撓曲部
１２  撓曲部
１３，１４  連結部材
１５  軸部
１６  環状部
１７  釣糸
１８  釣人
１９  連結手段
２０，２１  先端部
２２  撓曲体
２３  内実体
２４  前外骨格体
２５  後外骨格体
３１  骨格体
３２  外装体
３３  非撓曲部
３４  撓曲部
３５  内実体
３６  外骨格体
３７  骨格体
３８  撓曲体
３９  凹部
４２  連結具
４５  前骨格体
４６  後骨格体
４７  連結手段
４８  外装体
４９  中空部
５０  前非撓曲部
５１  後非撓曲部
５２，５３  撓曲部
５４  隙間
５５  連結部材
５６  軸棒
５７  軸部
５８  環状部
５９  軸部
６０  環状部
【図１】
2007020446.tif 000003
【図２】
2007020446.tif 000004
【図３】
2007020446.tif 000005
【図４】
2007020446.tif 000006
【図５】
2007020446.tif 000007
【図６】
2007020446.tif 000008
【図７】
2007020446.tif 000009
【図８】
2007020446.tif 000010
【図９】
2007020446.tif 000011
【図１０】
2007020446.tif 000012
【図１１】
2007020446.tif 000013
【図１２】
2007020446.tif 000014
【図１３】
2007020446.tif 000015
【図１４】
2007020446.tif 000016
【図１５】
2007020446.tif 000017
【図１６】
2007020446.tif 000018